(57)【要約】　　　（修正有）【課題】簡潔な手法でかつ低コストで半導体部品をも洗浄可能な、精密、小型洗浄装置を提供する。【解決の手段】多槽洗浄槽を有する洗浄用回転ドラム１および水切り用回転ドラム２、エアーブロー機能を有する洗浄液除去用回転ドラム３、多槽すすぎ槽を有するすすぎ用回転ドラム４およびエアーブロー機能を有する乾燥用回転ドラム５の各ドラムに内接して共通する、スパイラル状送りフインを形成し、これを共通軸に沿って回転する。１個または数個の洗浄物を連続してドラムの回転に同期或いはそれに近い手法で洗浄物を投入し、多槽洗浄、洗浄液除去、多槽すすぎおよびエアーブロー乾燥を移送中に順に行う小型でしかも安価な洗浄装置提供出来る。【選択図】　　　　　　図１
2004058035.tif 000002
【特許請求の範囲】
【請求項１】
一つの共通の回転軸に取付けられた、ほぼ円筒状の洗浄用回転ドラムとこれに連接して水切り用回転ドラム、洗浄液除去用回転ドラム、すすぎ用回転ドラムおよび乾燥用回転ドラムを形成すると共に内周面にスパイラル状送りフインを形成し、回転軸にそって回転駆動する駆動装置を有する洗浄装置。
【請求項２】
前記回転ドラムの共通回転軸が、水平共軸にそって水平に設置されており、洗浄用回転ドラムと、これに連接する水切り用回転ドラムの先端を先細状に縮径し、これに洗浄液除去用回転ドラム、すすぎ用回転ドラムおよび乾燥用回転ドラムが形成されている請求項１に記載の洗浄装置。
【請求項３】
前記回転ドラムの共通回転軸が、水平共軸にそって水平に設置されており、洗浄用回転ドラムとこれに連接する水切り用回転ドラム、洗浄液除去用回転ドラム、すすぎ用回転ドラムおよび乾燥用回転ドラムを順次縮径して形成する請求項１の洗浄装置。
【請求項４】
洗浄液除去用回転ドラム部に洗浄液除去用エアーブローノズルを形成する請求項１〜３項記載の洗浄装置。
【請求項５】
洗浄用回転ドラムとこれに連接して水切り用回転ドラム、洗浄液除去用回転ドラム、すすぎ１用回転ドラム、すすぎ１液除去用回転ドラム、すすぎ２用回転ドラムおよび乾燥用回転ドラムを形成し、水平共軸にそって駆動する請求項１の洗浄装置。
【請求項６】
前記項にてすすぎ１用回転ドラム、すすぎ１液除去用回転ドラムの配列を洗浄精度により必要ｎ回繰り返した請求項５の洗浄装置。
【請求項７】
請求項１〜６項において水平共軸を、洗浄用回転ドラムを基準として乾燥用回転ドラムを上方に傾斜させた共軸に変えた洗浄装置。
【請求項８】
請求項１〜７項においてスパイラル状フインの送り領域の少なくとも１ヶ所に突起を設けた洗浄装置。
【請求項９】
請求項１〜８項において洗浄用回転ドラム、水切りドラムおよびすすぎ用回転ドラムのドラム板を平板を用い筒状にし、スパイラル１ピッチを洗浄槽とし、これらの全長を１ピッチで除した商をもって多槽とした多槽洗浄とする。洗浄液除去用回転ドラムおよび乾燥用回転ドラムの各ドラム板に、パンチングメタルまたは金網を使用し筒状にした洗浄装置。
【請求項１０】
請求項１〜９項において、すすぎ用回転ドラムのスパイラル状送りフインの高さを他の回転ドラムより高くした洗浄装置。
【請求項１１】
請求項１〜１０項において加工機に連結し加工機タクトとドラム回転を同期させ或いはそれに近いドラム回転として洗浄し製品の重なり、絡み合いなどをなくした洗浄装置。
【請求項１２】
請求項１〜１１項において乾燥用回転ドラムの先端に、補助的にエリングあるいは角型のエアーブロー装置を用いて乾燥を補助した乾燥装置を備えた洗浄装置。
【発明の詳細な説明】
【０００１】
【発明の属する技術分野】
この発明は、金属加工品やプラスチック成型品等の工業製品や、食器或いは果実、穀物類の食品類等の被洗浄物を洗浄するに関する。
【０００２】
【従来の技術】
【０００３】被洗浄物をかごなどに、まとめて多量大量に同時に洗浄する、所謂バッチ方式洗浄、或いはベルトにて搬送して洗浄洗浄するライン方式などが一般的な洗浄の方式である。
【０００４】
【発明が解決しようとする課題】
【０００５】以上の方式は、被洗浄は多量大量に、まとめてかごなどの容器に入れられて洗浄される。このため被洗浄物の重なり、絡み合いなど、被洗浄物同士が接合した状態で洗浄やすすぎが行われる。洗浄液およびすすぎ液が被洗浄物の細部まで浸透せず、洗浄およびすすぎが出来ない部分や不完全な部分が生じる。この欠点を取除くためかごに、回転装置、揺動装置、超音波装置或いは真空洗浄装置などの外部エネルギーで、重なり部分の洗浄性を高めようとしている。それでも洗浄不十分な部分が出来、必然的に洗浄品質にばらつきが生じる。それが洗浄シミの原因となり洗浄不良となる。
【０００６】シミなし洗浄を行うとすれば、必要に応じて、第２洗浄、第２すすぎ、第ｎ洗浄、第ｎすすぎを必要とする。
【０００７】このように被洗浄物を多量大量に、同時処理しようとすると、洗浄用かごが大型となる。かごの揺動装置、回転装置、超音波装置或いは真空装置など洗浄補助外部エネルギーの付属装置が装着されるため、これらを収容する洗浄槽も大型となり、必然的に洗浄装置は石油精製プラントの如く大型となる。工場床面積の大きなものが必要となり、装置の大型とあいまって装置が高価となり、洗浄コストを高める要因とになる。
【０００８】これらの欠点をなくすために、被洗浄物を大量にまとめて同時洗浄処理せず、本発明のように、被洗浄物移送装置そのものを洗浄槽、洗浄液除去槽、すすぎ槽および乾燥槽として、１個或いは少数個を連続送りにて移送中に、洗浄、洗浄液除去、すすぎおよび乾燥を行う。この方法によると、被洗浄物は洗浄槽或いはすすぎ槽の中を移送中に自己揺動およびシャワーリングなどで、洗浄液およびすすぎ液の浸透性、なじみ性を更によくすることが出来、被洗浄物の隅々まで充分に洗浄およびすすぎを行うことが出来る。このため超音波、揺動、回転或いは真空作用など、高価な外部エネルギーを使用せずとも、簡素で安価な手法で充分によごれを落とすことが出来る。
【０００９】このように汚れが完全に洗浄液がら除去されるため、被洗浄物に汚れシミが発生せず金属地肌の洗浄が可能となる。
【００１０】このように、１個或いは少数個連続送り方式で移送中に洗浄、洗浄液除去、すすぎおよび乾燥を行う洗浄装置に構成すれば、バッチ洗浄方式以上の洗浄処理能力で、しかも洗浄装置の構造が簡単、簡潔となり、非常に小型化され、低価格の洗浄装置となる。低コストでしかも金属地肌のきれいなシミなし洗浄が出来る。本発明はその方法を提供するものである。
【００１１】
【課題を解決するための手段】
【００１２】一つの共通の回転軸に取付けられた、ほぼ円筒状の平板を用いてドラムとした洗浄用回転ドラムと水切り用回転ドラム、ドラムにパンチングメタルあるいは金網等を用い、洗浄液除去用回転ドラム、すすぎ用回転ドラムおよび乾燥用回転ドラムを形成し、内周面に連続した送り用スパイラル状送りフインを形成させる。
【００１３】被洗浄物が洗浄用回転ドラム内をスパイラル状送りフインにて移送中にシャワーリング或いは浸漬にて洗浄される。水切り用回転ドラムにて液切りが行われた被洗浄物は、洗浄液除去用回転ドラムに移送され、移送中にエアーブローにて汚れた洗浄液を除去される。ついで被洗浄物はすすぎ用回転ドラムに移送され、清浄な洗浄溶剤或いは市水或いは純水にて、シャワーリング又は浸漬にてすすぎが行われ、乾燥用回転ドラムにてスリット型ナイフエッジ状のエアーノズルのエアーブローで乾燥される。補助的にエアーを加温することがある。
【００１４】洗浄物は１個又は少数個送り移送中の洗浄のため、洗浄液およびすすぎ液の浸透性、なじみ性が良く、洗浄性およびすすぎ性にすぐれ、洗浄液除去用回転ドラム内でのスリット型ナイフエッジ状エアーノズルのエアーブローによる汚れた洗浄液の除去、および乾燥用回転ドラム内でのスリット型ナイフエッジ状エアーノズルによるエアープロー乾燥で、被洗浄物に付着した、汚れた洗浄液およびすすぎ液は充分に除去される。このため被洗浄物の表面は何等の汚れもなく、被洗浄物の表面は、シミがなく金属地肌の洗浄が得られる。
【００１５】被洗浄物の移送は、回転ドラムそれ自身が洗浄槽或いはすすぎ槽であるため、液中或いはそれに近い状態にて移送する。キズ、ダコンおよび変形の発生がなくなる。加工機と同期運転或いはそれに近い回転にて洗浄すると被洗浄物の洗浄後の重なり、および絡み合いがなくなり２次処理が容易となる。
【００１６】さらに被洗浄物の洗浄精度に応じて洗浄液除去用回転ドラムおよびすすぎ用回転ドラムの数を１からｎ個に増やすことで洗浄精度を高めることが出来る。
【００１７】回転共通軸を０度から１０度送り方向に傾斜させることで乾燥性を高めることが出来る。
【００１８】各回転ドラムのスパイラル状送りフイン１ピッチの範囲、或いはランダムピッチ範囲に少なくとも１個所に突起を設けて、被洗浄物を反転させ洗浄性および乾燥性を高めることを特徴とする。
【００１９】洗浄用回転ドラムおよびすすぎ用回転ドラムを、洗浄槽およびすすぎ槽とするために円筒ドラムに平板を円筒状にして使用し、スパイラル１ピッチを１槽とし、洗浄用回転ドラムおよびすすぎ用回転ドラムの全長をスパイラル１ピッチで除した商の数を槽として多槽洗浄および多槽すすぎとし、洗浄性およびすすぎ性を高め、すすぎ用回転ドラムのスパイラル状送りフインの高さを少なくとも洗浄液除去用回転ドラムおよび乾燥用回転ドラムのそれより高くしてすすぎ液の深さを深くし、洗浄液除去用回転ドラムおよび乾燥用回転ドラムは、洗浄液およびリンス液の除去を容易にするため円筒ドラムにパンチングメタル或いは金網を円筒状にして使用したことを特徴とする。
【００２０】加工機加工タクトとドラム回転を同一或いはそれに近い回転にすれば被洗浄物の洗浄時の重なり或いは絡み合いを防ぐこと特徴とする。
【００２１】以上から本発明により金属地肌、シミみなし洗浄を小型で、非常に簡潔な機構で行うことが出来る。このため洗浄コスト大幅に引き下げることが出来る。
【００２２】
【発明の実施の形態】
以下図にしめした実施形態に基づいて、この発明の詳細を説明する。図１および図２に本発明による洗浄装置の第一の実施形態を示している。加工機にて加工された洗浄物１２は歯車９および１１を介して、モータ１０にて回転駆動される洗浄用回転ドラム１、水切り用回転ドラム２、洗浄液除去用回転ドラム３、すすぎ用回転ドラム４および乾燥用回転ドラム５の内接して装着したスパイラル状送りフイン２６により移送中に、洗浄用回転ドラム１内にて洗浄される。
【００２３】
この洗浄用回転ドラム１は円筒径方向には液漏れがないように、平板を円筒状にし、これに内接してスパイラル状送りフイン２６を内接して装着してあるため、スパイラル状送りフインの１ピッチが入り口から順に第１槽以下第２槽、第３槽および第ｎ槽となる。第ｎ槽に行くにしたがって、順に洗浄液は清浄になる。洗浄用回転ドラム１と水切り用回転ドラムの２全長をスパイラル状送りフイン２６ピッチで除した商のｎ槽より形成する。例えば洗浄槽１の長さが５００ｍｍ、１ピッチ１００ｍｍとすると、槽の数は５槽の多層槽洗浄となる。洗浄液は水切り用回転ドラムの傾斜の作用により、第ｎ槽より第１槽えと逆流するため第ｎ槽が最も清浄な洗浄液となる。洗浄物１２は清浄な洗浄液の方向に移送されながら多槽洗浄が行われ良好な洗浄となる。
【００２４】
洗浄された洗浄物１２は水切り用回転ドラム２を経て洗浄液除去用回転ドラム３に移送される。洗浄液除去用回転ドラム３は洗浄液が筒内より排除容易にするように、パンチングメタル或いは金網を円筒状ににし、これに内接してスパイラル状送りフイン２６を洗浄用回転ドラムより連続して装着してある。洗浄物１２はスパイラル状送りフイン２６により移送中に洗浄液除去用スリット型ナイフエッジ型或いはノズル型エアーブローノズル７のエアー噴射口２７より噴射されるエアー１６によりエアーブローされて、洗浄物から洗浄液が除去され、除去された洗浄液は、パンチングメタル或いは金網の穴から洗浄タンクに排除される。図３に示すように１個或いは少数個送りのためエアー１６は洗浄物全面に当たりエアーブローが十分に行われ洗浄物の表面に付着した洗浄液は除去される。
【００２５】
ついで洗浄液を除去された洗浄物１２は、すすぎ用回転ドラム４に移送される。すすぎ用回転ドラム４は、円筒径方向には液漏れがないように、平板を円筒状にし、これに内接してスパイラル状送りフイン２６を洗浄液除去用回転ドラムより連続して装着してある。
洗浄用回転ドラム１と同様にスパイラル状送りフイン１ピッチがすすぎ槽の役目をなし、すすぎ用回転ドラム４入り口から第１槽、第２槽および第ｎ槽で形成する。すすぎ槽の全長をスパイラル１ピッチで除した商が槽の数でｎ槽となる。例えばすすぎ槽の長さが４００ｍｍ、１ピッチが１００ｍｍとすれば槽の数は４槽である。本回転ドラム内のみ洗浄液除去用回転ドラムおよび乾燥用回転ドラム５よりもスパイラル状送りフインの高さを高くすることですすぎ槽３としての効果を向上させる。洗浄物は第１槽から清浄なすすぎ液の第ｎ槽まで順次移送されるうちにすすぎが行われ、すすぎ液のシャワーリング効果とあいまって良好すすぎが行われ被洗浄物表面は汚れのないきれいな洗浄肌が得られる。
【００２６】
すすぎが完了した洗浄物１２は、乾燥用回転ドラム５に移送される。乾燥用回転ドラム５は、パンチングメタル或いは金網を円筒状にし、これに内接してスパイラル状送りフイン２６をすすぎ用回転ドラム４から連続して装着してある。洗浄物は移送中にスリット型ナイフエッジ状のエアー噴出口を持つエアーブローノズル１４から噴射される高圧エアーによりすすぎ液が除去され、万一すすぎ液の劣化があってもシミなし金属地肌洗浄が可能となる。エアーノズルは図６に示すように２個或いは複数個並列に配置すると、エアーブローの効果がより向上し、短時間内の乾燥が可能となる。
【００２７】
図３には洗浄物１２に洗浄液１６或いはすすぎ液１４が１個或いは数個送りのために、洗浄物の全面に隈なく接触する様子を示す。
【００２８】
図４には本発明の洗浄液１５およびすすぎ液１４のフローを示す。液面検知スイッチ２５の作用によりすすぎ腋２６が下面レベルに達するとバルブ２４の作動によりすすぎ液２６がすすぎ液槽１４に注入される。液面検知スイッチ２５の上面レベルに達するとバルブ２４の作動によりすすぎ液の注入が停止される。すすぎ槽１４からあふれたすすぎ液は隔壁２２より、オーバーフローして洗浄液槽１５に注入される。洗浄液槽１４の汚れた洗浄能力の低下した洗浄液１６は、オーバーフロー口２１より排出される。このようなフローサイクルで洗浄液１６およびすすぎ液２６は常に最良の洗浄性およびすすぎ性を保持することが出来る。
【００２９】
図５には、加工機１９、本発明洗浄装置１８および２次処理装置２０を連結した場合の１例をしめす。加工機１９は例えば切断機、ブレス機その他、２次処理装置２０は、例えば熱処理機、めっき措置或いは整列装置その他であり種々の形態を取りうる。
【００３０】
、上述した以外に、本発明の趣旨を逸脱しない範囲で種々の種々の形態で実施することが出来る。
【００３１】
【発明の効果】
以上述べたように、本発明の洗浄装置によれば、洗浄用回転ドラム内の第１槽から第ｎ槽内で、第ｎ槽にしたがってた清浄な洗浄液となる洗浄槽で、ドラムに内接したスパイラル状送りフインにて移送中に、洗浄物が洗浄され、しかも１個或いは少数個送り洗浄のため、洗浄物の移送中揺動運動、シャワーリング力により洗浄液が洗浄物表面に強力に作用し洗浄効果を高めるために良好な洗浄が得られる。超音波作用、かご回転揺動或いは真空作用などの外部エネルギーを付加しなくとも、これと同等以上の洗浄力を得ることが出来る。
【００３２】
しかしながらこれら洗浄においても洗浄物表面に多少汚れ成分或いは洗浄液でシミに関与する成分が付着している。洗浄液除去用回転ドラム内に装着されたスパイラル状送りフインで、洗浄物を移送中に、スリット型エアーナイフ状或いはノズル状エアーノズルから噴射される強力なエアーで洗浄物表面に付着した洗浄液をエアーブロー除去する。
【００３３】
洗浄液を除去された洗浄物は、第１槽から第ｎ槽を有するすすぎ用回転ドラム内で回転ドラム内に装着されたスパイラル状送りフインにて移送中に、清浄なすすぎ液ですすぎが行われる。洗浄液除去効果とあいまって洗浄物の表面はシミのない清浄な金属地肌を得ることが出来る。
【００３４】
これら清浄な金属地肌の洗浄物は、乾燥用回転ドラム内で回転ドラムに内に装着されたスパイラル状送りフインにて移送中にエアーノズルから噴射されるエアーにてエアーブローされて、すすぎ液が除去され乾燥する。
【００３５】
上述の本発明によれば、洗浄物は、第１槽から第ｎ槽を有する洗浄槽にて揺動、シャワーリング洗浄が行われる。洗浄された洗浄物の表面からエアーブローにて洗浄液が除去れる。洗浄液の除去された洗浄物は第１槽から第ｎ槽を有するすすぎ槽にて清浄なすすぎ液にて清浄に洗浄された、シミのない金属地肌のに洗浄物が得られる。更にエアーブローにて乾燥させるので常時シミのない金属地肌のが得られる。しかもこれら一連の工程が洗浄物がスパイラル状送りフインにて移送中に行われ、しかも１個或いは少数個にて、移送中の揺動、シャワーリング作用により超音波、かご回転揺動或いは真空作用などの洗浄用外部エネルギーがなくても洗浄物は、それら作用にて行われた洗浄と同等以上の洗浄精度が得られる。したがって本発明によれば、装置は小型で安価でありながら従来の洗浄方法では得ることが出来なかったシミのない金属地肌洗浄が可能となり、しかも低コスト洗浄が可能となる。
【図面の簡単な説明】
【図１】本発明による洗浄装置の実施１例の主要構成を示す。
【図２】洗浄液除去作用方法の実施１例を示す。
【図３】洗浄物に洗浄液、すすぎ液およびエアーブロー作用する１例を示す。
【図４】すすぎ液および洗浄液の流れの１例を示す。
【図５】本発明洗浄装置が洗浄前後工程機器と結合した１例を示す。
【図６】エアーブローノズル構成の１例を示す。
【符号の説明】
１　　洗浄用回転ドラム
２　　水切り用回転ドラム
３　　洗浄液除去用回転ドラム
４　　すすぎ用回転ドラム
５　　乾燥用回転ドラム
６　　すすぎ用ノズル
７　　洗浄液除去用ノズル
８　　洗浄用ノズル
９　　歯車
１０　駆動モータ
１１　歯車
１２　洗浄物
１３　タンク
１４　すすぎ槽
１５　洗浄槽
１６　洗浄液
１７　洗浄液除去後の洗浄液
１８　洗浄装置
１９　洗浄前加工機
２０　洗浄後処理装置
２１　ドレン口
２２　隔壁
２３　すすぎ液排出バルブ
２４　すすぎ液注入バルブ
２５　液面計
２６　すすぎ液
２７　すすぎ液ノズル
【図１】
2004058035.tif 000003
【図２】
2004058035.tif 000004
【図３】
2004058035.tif 000005
【図４】
2004058035.tif 000006
【図５】
2004058035.tif 000007
【図６】
2004058035.tif 000008